(57)【要約】【課題】  表示内容に変化のある待受機能を発揮しつつ、比較的長い期間での全体の推移を確認できるようにすること【解決手段】  所定のイベント発生時に所定のイベント発生画面を表示する車載用電子機器である。少なくとも前記イベント発生画面の表示時でないときに表示する画面である待ち受け画面を表示する待ち受け画面表示手段を備え、待ち受け画面表示手段は、第一グラフ表示部３１に、短い期間（たとえば３ｋｍ）で動きのある第一情報をグラフで表示し、第二グラフ表示部３２に、第一情報のグラフよりも長い期間（たとえば車両の始動時から現在）で第一情報と関係がある第二情報をグラフで表示する。図示した例では、第一情報と第二情報は共に同じで、移動距離に対する車両の存在する高度の変化をグラフで表示する。【選択図】  図３
2014132253.tif 000002
【特許請求の範囲】
【請求項１】
所定のイベント発生時に所定のイベント発生画面を表示する車載用電子機器において、
少なくとも前記イベント発生画面の表示時でないときに表示する画面である待ち受け画面を表示する待ち受け画面表示手段を備え、
前記待ち受け画面表示手段は、第一グラフ表示部に、短い期間で動きのある第一情報をグラフで表示し、第二グラフ表示部に、前記第一情報のグラフよりも長い期間で前記第一情報と関係がある第二情報をグラフで表示する
ことを特徴とする車載用電子機器。
【請求項２】
前記短い期間は、現在の時点から過去の一定の期間であることを特徴とする請求項１に記載の車載用電子機器。
【請求項３】
第二グラフ表示部に表示するグラフは、イベント発生から現在までの累積を示すものであることを特徴とする請求項１または２に記載の車載用電子機器。
【請求項４】
前記イベント発生は、車両の始動、リセット指示受付のいずれかであることを特徴とする請求項３に記載の車載用電子機器。
【請求項５】
前記第一グラフ表示部に表示するグラフと前記第二グラフ表示部に表示するグラフの第一の軸は、前記期間を特定する項目であり、
前記第一グラフ表示部に表示するグラフと前記第二グラフ表示部に表示するグラフの第二の軸は、車両の走行に応じて変わり得る情報であることを特徴とする請求項１から４のいずれかに記載の車載用電子機器。
【請求項６】
前記第一グラフ表示部に表示するグラフと前記第二グラフ表示部に表示するグラフの第一の軸は、前記期間を特定する項目であり、
前記第一グラフ表示部に表示するグラフと前記第二グラフ表示部に表示するグラフの第二の軸は、運転者の操作に応じて変化する項目であることを特徴とする請求項１から４のいずれかに記載の車載用電子機器。
【請求項７】
前記第一グラフ表示部に表示するグラフと前記第二グラフ表示部に表示するグラフの第一の軸は同じ項目であり、
前記第一グラフ表示部に表示するグラフと前記第二グラフ表示部に表示するグラフの第二の軸は同じ項目であることを特徴とする請求項５または６に記載の車載用電子機器。
【請求項８】
前記待ち受け画面表示手段は、前記第一グラフ表示部に表示する表示内容と、前記第二グラフ表示部に表示する表示内容が同じ間は前記第一グラフ表示部と前記第二グラフ表示部のいずれか一方を表示し、前記表示内容が異なる場合に前記第一グラフ表示部と前記第二グラフ表示部を同時に表示することを特徴とする請求項７に記載の車載用電子機器。
【請求項９】
前記待ち受け画面表示手段は、前記第二グラフ表示部にグラフを表示する際に、前記第一グラフ表示部に表示するグラフに対応する部分が分かるように表示することを特徴とする請求項７または８に記載の車載用電子機器。
【請求項１０】
前記期間は、車両の走行距離により特定するものであることを特徴とする請求項１から９のいずれかに記載の車載用電子機器。
【請求項１１】
前記第一情報と前記第二情報の少なくとも一方は、走行距離に対する高さの変位を特定する情報であることを特徴とする請求項１から１０のいずれかに記載の車載用電子機器。
【請求項１２】
請求項１から１１のいずれかに記載の車載用電子機器における機能をコンピュータに実現させるためのプログラム。
【発明の詳細な説明】
【技術分野】
【０００１】
本発明は、車載用電子機器及びプログラムに関するものである。
【背景技術】
【０００２】
車載用電子機器の一つとして、路上周辺等に設置された速度測定装置から発射される所定周波数帯域のマイクロ波を検出して警報を出力するマイクロ波検出器（レーダー探知機）がある。また、速度測定装置の中には、係るマイクロ波検出器では検出できないものもある。一例を挙げると、ループ式と称されるように、地中にループ状のコイルを埋め込み、そのコイルの上を車両が通過するのを検知するとともに車速も判定するものがある。また、マイクロ波以外の光を用いて車両の速度を検出するものもある。そこで、予め速度測定装置等の警報対象の設置位置情報を記憶させておき、ＧＰＳ（Global Positioning System ）情報を利用して現在位置が記憶した設置位置に近づいた場合（所定の関係になった場合）に、マイクロ波の検知の有無に関係なく警報を発するようにした車載用電子機器もある（特許文献１）。
【０００３】
ところで、この種の車載用電子機器の場合、自車の周囲に常時何かしらの警報対象が存在しているとは限らない。そして、表示部付の車載用電子機器の場合、表示部に警報を出力しない期間、その表示部に所定の待ち受け画面を描画することが行われる。この待ち受け画面の一例としては、たとえばスピードメータや、カレンダ等がある。また、待受画面の別の例としては、たとえば特許文献２に開示された発明のように、直近の一定期間の加速度の変化や、速度の変化をグラフ表示するものもある。
【先行技術文献】
【特許文献】
【０００４】
【特許文献１】特開２００８−６４５８８号公報
【特許文献２】特開２０１０−７６７４０号公報
【発明の概要】
【発明が解決しようとする課題】
【０００５】
待受画面に表示する情報の種類によっては、たとえば、今回の走行の運転開始から現在までといった比較的長期間における推移，履歴の変化の状態を見たいという要求がある。その場合、たとえば２軸のグラフで表現する場合、期間に対応する軸の始点をエンジン始動時とし、エンジン始動時から定期的に取得した情報の履歴に基づいて現在までの変化の履歴をグラフに表示する。
【０００６】
待受画面として表示する情報として、たとえば、車両が存在する位置の高度情報とすると、エンジン始動してから現在までに走行した道路の高度の変化の状況がグラフ表示されるので、ユーザは、どのような高低差の道路を走行してきたかが一目で理解できる。しかし、長時間走行していると、待受画面に表示されるグラフ全体の動きが少なくなる。すなわち、エンジン始動してからの経過時間が長くなればなるほど、その後の一定時間で取得した情報を表示するための領域の占める割合は小さくなる。よって、たとえば、山道などの比較的高低差のある道路を走行した場合、グラフに表示される線の軌跡は、山道の起伏にあわせて適宜の山や谷など起伏のある曲線になることもある。そして、長時間走行していると、係る起伏のある曲線の形状自体は一定の形を維持し、その後の走行に伴い曲線の形状が大きく変わらないことになる。すると、曲線の形状があまり変わらず、大きな動きがないグラフが表示し続けることになり、表示内容に動きや変化がとぼしく、おもしろみに欠け、待受画面として表示するにはあまり適切でない。
【０００７】
一方、たとえば、上記の高度の情報でも、直近の比較的短い期間についてグラフを表示するようにすれば、表示したグラフの形状に時間経過等にともなう動き・変化が見られる。しかし、たとえば、山を越えた場合の全行程の高度の推移を見たいという要求には応えられない。このような課題は、高度情報に限ることはなく、各種の情報に言える。
【０００８】
また、たとえば待受画面に表示する情報として高度等を用いた場合であって、従前の他の情報と同様に一定時間毎に高度情報を取得し、それに基づいてグラフを表示すると、以下に示す課題がある。たとえば、渋滞その他で車両が同一位置に一時停止していた場合、車両が存在する場所の高度は変わらない。しかし、たとえばＧＰＳ情報を利用して現在位置を求めると、精度誤差等により求めた現在位置が一定とならずにばらつくおそれがある。すると、求めた現在位置がずれることに伴い位置に対応して記憶されている高度が変わるため、停車しているにもかかわらず表示されたグラフでは高度が変動する状態を招くおそれがある。
【０００９】
また、一方、仮に精度誤差等がなく一時停止している間、求めた現在位置に変動がないとすると、時間経過に伴い出力される高度は同一の値を維持する。よって、係る場合に表示されるグラフは、たとえば時間軸を横軸とすると、水平な直線が伸びていく態様となり、変化がなくおもしろみに欠ける。
【課題を解決するための手段】
【００１０】
上述した課題を解決するために、本発明に係る車載用電子機器は、（１）所定のイベント発生時に所定のイベント発生画面を表示する車載用電子機器において、少なくとも前記イベント発生画面の表示時でないときに表示する画面である待ち受け画面を表示する待ち受け画面表示手段を備え、前記待ち受け画面表示手段は、第一グラフ表示部に、短い期間で動きのある第一情報をグラフで表示し、第二グラフ表示部に、前記第一情報のグラフよりも長い期間で前記第一情報と関係がある第二情報をグラフで表示する。各表示部は、たとえば、表示領域と称してもよい。「期間」は、たとえば、グラフを構成する一つの軸の項目であり、たとえば、グラフ表示される際の領域，区間等を特定するものとなる。「期間」は、具体的には、たとえば「車両等が動作・稼働している時間」や「車両の移動距離」などがある。
【００１１】
本発明は、第一グラフ表示部に、短い期間で動きのある第一情報をグラフで表示する高機能を備えたため、所定のイベントが発生していない時に表示される待ち受け画面の表示内容が、たとえば動きのある内容や変化に富んだ内容となり、待受画面として表示するのに適切となる。
【００１２】
そして本発明は、第二グラフ表示部に、前記第一情報のグラフよりも長い期間で前記第一情報と関係がある第二情報をグラフで表示する機能を備えているため、たとえば第二グラフ表示部に、第一情報と関係がある第二情報をグラフで表示し、しかも、その第二情報のグラフは第一情報のグラフよりも長い期間となる。よって、たとえば比較的長い期間に渡る第二情報の全体の変化などを見せることができる。従って、たとえば比較的長い期間に渡る全体を見ることでわかる内容を第二情報として第二グラフ表示部に表示すると、運転手等に有益・有意義な情報を提供することができるので好ましい。この場合、比較的長い期間の全体をグラフ表示することで、表示したグラフの形状が時間経過等によってもあまり大きな動きや変化がないこともある。係る場合でも、第一グラフ表示部に動きのあるグラフを表示しているため、待ち受け画面全体としては、動きのある待ち受け機能を発揮する。そして、第二グラフ表示部では、たとえば、時間経過等に伴うグラフの形状の動き・変化が少ない場合、運転手は、待ち受け画面ひいては第二グラフ表示部を注目して見続けることなく、ちらちらと見るだけでも全体形状を把握することができる。たとえばユーザは、車両前方や周囲の状況をしっかり見ながらでも第二グラフ表示部に表示された内容を認識することができるようになり、本発明の車載用電子機器は、たとえば安全運転を     図るのにも適した装置となる。
【００１３】
（２）前記短い期間は、現在の時点から過去の一定の期間とするとよい。このようにすると、たとえば直前のユーザの運転操作や、直前の車両の状態や、直前の走行してきた地形など、ユーザに記憶が新しい内容と直接的あるいは間接的に関係する情報等がグラフで表示されるので、ユーザにとって興味があったり、おもしろみがあったり、理解しやすかったりする内容が待ち受け画面として表示されるので好ましい。
【００１４】
（３）第二グラフ表示部に表示するグラフは、イベント発生から現在までの累積を示すものとするとよい。このようにするとイベント発生から現在までの第二情報の推移、履歴等の全体を一括してグラフとして表示することができる。よって、ユーザは、係るグラフを見ることで、第二情報のイベント発生からの全体の推移等を一目で見て理解できるので好ましい。
【００１５】
（４）前記イベント発生は、車両の始動、リセット指示受付のいずれかであるとよい。車両の始動は、たとえばイグニッションスイッチがオンされたこと、エンジンが始動したこと、電気自動車のスタートスイッチがオンされたことなどにより判定する。このようにすると、たとえば今回の運転についての走行開始から現在までの第二情報の変化の推移、履歴が一目でわかる。また、リセット指示受付は、たとえばリセットボタンスイッチの押下などによりユーザからのリセット指示受付がある。また、車両の状態などがあらかじめ設定した条件を満たした場合にリセット指示受付としても良い。たとえば、ユーザからのリセット指示受付があったことをイベント発生とした場合、ユーザは、走行途中の任意の地点からの履歴を見ることができる。また、車両が駐停車してもリセット指示をしないことで、複数の走行にまたがる全体の第二情報の履歴を見ることができる。よって、たとえば第二情報として実施形態のように高度に関する情報とし、ユーザが山道などの起伏のある道路をドライブして山越えするような場合に、その山越えした当該山の起伏の状態を見たいような場合、ユーザは、山道に入る手前でリセット指示をすることで、そのより前の街中、郊外の部分の履歴の表示をカットし、山の部分の高度の変化・推移を見ることができる。また、たとえば山道の途中で休憩等で車両を駐停車し、その後に車両を再始動した場合でも、車両の駐停車時にリセット指示をしなければ、山の部分の全体の起伏に応じた高度の履歴を見ることができる。
【００１６】
（５）前記第一グラフ表示部に表示するグラフと前記第二グラフ表示部に表示するグラフの第一の軸は、前記期間を特定する項目であり、前記第一グラフ表示部に表示するグラフと前記第二グラフ表示部に表示するグラフの第二の軸は、車両の走行に応じて変わり得る情報であることとするとよい。車両の走行に応じて変わり得る情報は、たとえば高度、気圧、ラジエータ内等の水温、燃費、残燃料、速度、加速度などがある。第一グラフ表示部の第一の軸の項目と、第二グラフ表示部の第一の軸の項目は、同じでも良いし異ならせても良い。同様に第一グラフ表示部の第二の軸の項目と、第二グラフ表示部の第二の軸の項目は、同じでも良いし異ならせても良い。第二の軸の項目を車両の走行に応じて変わり得る情報とすることで、車両の走行に伴いグラフが変化し、第一グラフ表示部のグラフは待受機能として発揮し、第二グラフ表示部のグラフは走行によりどのように変化したかの履歴を見ることができる。
【００１７】
（６）前記第一グラフ表示部に表示するグラフと前記第二グラフ表示部に表示するグラフの第一の軸は、前記期間を特定する項目であり、前記第一グラフ表示部に表示するグラフと前記第二グラフ表示部に表示するグラフの第二の軸は、運転者の操作に応じて変化する項目であるようにするとよい。運転者の操作に応じて変化する項目としては、たとえば燃費、エコ情報、安全運転の程度などがある。
【００１８】
（７）前記第一グラフ表示部に表示するグラフと前記第二グラフ表示部に表示するグラフの第一の軸は同じ項目であり、前記第一グラフ表示部に表示するグラフと前記第二グラフ表示部に表示するグラフの第二の軸は同じ項目であるとよい。このようにすると、第一情報と第二情報は、期間の長短が異なるものの同じ項目となるので、たとえば第一グラフ表示部はある情報についてのズームウインドウとなり、第二グラフ表示部は累積ウインドウとなる。よって、ユーザは両方を見比べることで、走行の全体についての状況を見つつ、直近の情報も確認することができるので好ましい。
【００１９】
（８）前記待ち受け画面表示手段は、前記第一グラフ表示部に表示する表示内容と、前記第二グラフ表示部に表示する表示内容が同じ間は前記第一グラフ表示部と前記第二グラフ表示部のいずれか一方を表示し、前記表示内容が異なる場合に前記第一グラフ表示部と前記第二グラフ表示部を同時に表示するとよい。運転開始直後は、グラフ表示は一方のみとなるので、グラフの表示領域・面積を大きく採ることができるため、見やすくなり好ましい。
【００２０】
（９）前記待ち受け画面表示手段は、前記第二グラフ表示部にグラフを表示する際に、前記第一グラフ表示部に表示するグラフに対応する部分が分かるように表示するとよい。「対応する部分がわかるように表示する」ことは、たとえば、対応するグラフの部分とそれ以外の部分の表示形態を異ならせることである。また、グラフの表示形態を変えるのではなく、たとえば、グラフの背景（たとえば色、パターン、図柄等）を変えたり、境界部分に線を表示したり、境界部分を矢印で示したりするなどの他、各種の態様がとれる。
【００２１】
このようにすることで、第一グラフ表示部に表示されたグラフが第二グラフ表示部に表示されたグラフのどの部分に対応しているかが一目でわかり、対応関係が容易に理解できるので好ましい。
【００２２】
（１０）前記期間は、車両の走行距離により特定するものであるとするとよい。たとえば期間を時間経過により特定するようにすると、時間経過に伴いＧＰＳ受信に基づく位置検出や高度などを求めると、ＧＰＳの検出精度誤差などで、高度等の値が変動することがあるが、距離に基づくことで係るグラフの表示が変動するのを抑止することができる。
【００２３】
（１１）前記第一情報と前記第二情報の少なくとも一方は、走行距離に対する高さの変位を特定する情報とするとよい。高さの変位は、高度等のように直接的に規定するものでも良いし、気圧等のように間接的に規定するものでも良い。このようにすると、ユーザは、走行した箇所の高さの変化・推移、高低差を知ることができるので好ましい。
【００２４】
（１２）本発明のプログラムは、（１）〜（１１）のいずれかに記載の車載用電子機器としての機能をコンピュータに実現させるためのプログラムである。
【発明の効果】
【００２５】
本発明によれば、第一グラフ表示部に表示するグラフは、たとえば走行・時間経過等にともないその形状が適宜変化するため、待受機能として適した内容表示となる。そして、第二グラフ表示部に比較的長い期間にわたった情報をグラフ表示するため、ユーザは、係る第二情報についての全体の推移・履歴を確認することができる。
【図面の簡単な説明】
【００２６】
【図１】本発明の好適な一実施形態であるレーダー探知機の外観を示す図である。
【図２】レーダー探知機のブロック図を示す図である。
【図３】待受画面の表示例を示す図である。
【図４】待受画面の表示例を示す図である。
【図５】待受画面の表示例を示す図である。
【発明を実施するための形態】
【００２７】
以下、本発明の実施形態について、図面を参照して説明する。これらの図面は、本発明が採用しうる技術的特徴を説明するために用いられるものである。記載されている装置の構成等は、それのみに限定する趣旨ではなく、単なる説明例である。
【００２８】
［車載用電子機器の基本構成］
図１，図２は、本発明のシステムを構成する車載用電子機器として好適な一実施形態であるレーダー探知機の構成を示している。レーダー探知機１は、薄型矩形状のケース２を備え、そのケース２の背面側下方に取り付けられたブラケット３を用いて車両のダッシュボード上等に貼り付けて固定される。
【００２９】
ケース２の前面（車両後方（運転者側）に向く面）には、表示部５を備える。表示部５は、カラーＴＦＴ液晶ディスプレイで構成する。この表示部５上には、表示部５のどの部分がタッチされたかを検出するタッチパネル６を備える。また、ケース２の前面の右サイドには音量調整ボタン７が配置され、同左サイドには各種の作業用ボタン８が配置される。
【００３０】
ケース２の右側面には、着脱可能な記録媒体としてのメモリカードを装着するためのカード挿入口９を備え、ケース本体２内のカード挿入口９の内側にメモリカードリーダ１０が内蔵される。このカード挿入口９からメモリカード１１を挿入することで、そのメモリカード１１はカードリーダ１０に装着される。カードリーダ１０は、装着されたメモリカード１１に格納されたデータを内部に取り込む。より具体的には、メモリカード１１に格納されたデータは、新規な警報対象の情報（緯度経度等の位置情報，種別情報等）などの更新情報があり、その更新情報が制御部１８経由で装置に内蔵されるデータベース１９に格納（ダウンロード）され、データ更新がされる。
【００３１】
データベース１９は、制御部１８のマイコン内あるいはマイコンに外付けした不揮発性メモリ（たとえばＮＡＮＤＦｌａｓｈメモリ）により実現できる。またメモリカード１１自体をデータベース１９の一部又は全部として構成しても良い。なお、データベース１９には、出荷時に地図データ並びに一定の警報対象に関する情報が登録されており、その後に追加された警報対象についてのデータ等が上記のようにしてデータ更新される。
【００３２】
ケース２の背面側中央上方の内部にＧＰＳ受信器１３を配置し、さらにその横にマイクロ波受信器１４，無線受信器１５を配置する。ＧＰＳ受信器１３は、ＧＰＳ衛星からのＧＰＳ信号を受信し、現在位置（緯度経度）情報を出力する。マイクロ波受信器１４は、速度測定装置から出射される所定周波数のマイクロ波を受信する。無線受信器１５は、交通取締連絡用のＶＨＦ及びＵＨＦ帯の無線電波等を受信する。ケース２内の所定位置には、スピーカ１６を内蔵する。
【００３３】
ケース２の背面側下方には、ＤＣジャック１７を配置する。このＤＣジャック１７は、図示省略のシガープラグコードを接続するためのもので、そのシガープラグコードを介して車両のシガーソケットに接続して電源供給を受け得る。
【００３４】
ケース本体２の内面所定位置に、加速度センサ２２，気圧センサ２４を配置する。加速度センサ２２は、車両の挙動を検出するもので、Ｘ軸が進行方向にかかる加速度、Ｙ軸が横方向にかかる加速度、Ｚ軸が上下方向にかかる加速度を検出する。これにより、Ｘ軸は急加速・急減速、Ｙ軸は急ハンドル、Ｚ軸は段差の乗り上げや窪みへの落ち込みといった車両の所定の挙動をそれぞれ検出する。気圧センサ２４は、大気圧を測定する。
【００３５】
ケース本体２には、車両に実装されているＯＢＤ−II（IIはローマ数字の「２」であり、以下「ＯＢＤ−II」を「ＯＢＤ２」と記す）コネクタに着脱自在に装着するＯＢＤアダプタ２１が接続される。ＯＢＤ２コネクタは、故障診断コネクタとも称され、車両のＥＣＵに接続され、定期的に各種の車両情報が出力される。そこで、このＯＢＤアダプタ２１と車両本体側のＯＢＤ２コネクタとを連結することで、制御部１８は、各種の車両情報を定期的に取得する。
【００３６】
この車両情報としては、車両の走行距離、車両の車速、インジェクション噴射時間、吸入空気量、残燃料の情報等がある。残燃料は、現在の燃料タンクに残っている燃料の量であり、０．５リットルの分解能で出力される。よって、残燃料を定期的に取得し、前回の残燃料と今回の残燃料との間で変化が発生したタイミングを記録することで、前回変化が発生してから今回変化が生じるまでに消費された燃料は、０．５リットルと言える。また、定期的に燃費に関する情報（生涯燃費，今回燃費，瞬間燃費等の情報）が出力されるものもある。
【００３７】
また上記のＯＢＤアダプタ２１は、ケース本体２に設けた接続端子２３に着脱自在に連携される。ＯＢＤ２コネクタからの車両情報が不要な場合、ＯＢＤアダプタ２１を取り外すことで配線がダッシュボード上等において散らかるのを抑制し、レーダー探知機の周囲をすっきりとなる。
【００３８】
制御部１８は、ＣＰＵ，ＲＯＭ，ＲＡＭ，ＮＡＮＤＦｌａｓｈメモリ、Ｉ／Ｏ等を備えるマイコンであり、図２に示すように上述した各部と接続される。制御部１８は、上記の各種の入力機器（タッチパネル６、ＧＰＳ受信器１３、マイクロ波受信器１４、無線受信器１５等）から入力される情報に基づいて運転者に報知する情報を作成し、出力機器（表示部５，スピーカ１６等）を利用して情報を出力する。これらの基本構成は、基本的に従来のものと同様である。
【００３９】
本実施形態のレーダー探知機１における機能は、制御部１８に有するＣＰＵが実行するファームウェアとして制御部１８のＮＡＮＤＦｌａｓｈメモリに格納され、これを制御部１８に有するＣＰＵが実行することで実現する。ＮＡＮＤＦｌａｓｈメモリに記憶されたファームウェアは、メモリカードに記憶された新たなファームウェアによって更新することが可能である。
【００４０】
レーダー探知機１の出力機器から出力される主な情報は、運転者に安全を促すための警報情報である。警報情報は、たとえば次のような場合に出力される。制御部１８は、データベース１９に地図情報として記憶された警報対象の位置（緯度経度）と、ＧＰＳ受信器１３によって検出した車両の現在位置（緯度経度）から両者の距離を求め、求めた距離が所定距離以下となった場合に、出力機器から警報情報を出力する。またたとえば制御部１８は、マイクロ波受信器１４によって速度測定装置から発せられる周波数帯のマイクロ波に対応する信号が検出された場合に、出力機器から警報情報を出力する。またたとえば制御部１８は、無線受信器１５によって所定の無線電波を受信した場合、出力機器から警報情報を出力する。レーダー探知機１は、警報情報を出力することにより交通事故の発生しやすい危険な場所を運転者に認識させる。これにより、レーダー探知機１は、運転者に安全運転を促すことができる。なお、上述した警報情報は一例であり、実際には、他の様々な警報情報を運転者に対して出力する。警報情報は、たとえば表示部５に出力する所定の画像・映像・文字等から構成される視覚情報や、スピーカ１６に出力する音・音声を用いたもの等がある。
【００４１】
本実施形態のレーダー探知機１における機能は、制御部１８に有するコンピュータが実行するプログラムとして制御部１８のＥＥＰＲＯＭ上に格納され、これを制御部１８に有するコンピュータが実行することで実現する。制御部１８の有するプログラムによってコンピュータが実現する機能としては、待ち受け画面表示機能、ＭＡＰ表示機能、ＧＰＳ警報機能、レーダー波警報機能、無線警報機能などがある。
【００４２】
待ち受け画面表示機能は、所定の待ち受け画面を表示部５に表示する機能である。たとえばＧＰＳ受信器１３によって検出した位置情報に基づいて求めた自車の現在位置の緯度、経度、高度等の情報を数値、グラフ、アニメその他の態様で表示したり、ＧＰＳ受信器１３で検出したＧＰＳ衛生の存在を、数値やアニメその他の太陽で表示したり、ＯＢＤアダプタ２１にて取得した所定のＯＢＤ情報に基づき数値、グラフ、アニメその他の態様で表示したりする。
【００４３】
ＭＡＰ表示機能は、ＧＰＳ受信器１３によって検出した現在位置に基づき、データベース１９にアクセスし、そこに記憶されている地図データを読み出して表示する機能である。また、ＭＡＰ表示機能は、現在位置の周囲の警報対象をデータベース１９に記憶された位置情報に基づいて検索し、周囲に警報対象が存在する場合に地図上の該当する位置にその警報対象を示す情報（ターゲットアイコン１１２等）を重ねて表示する機能も備える。具体的な表示態様は、以下の通りである。
【００４４】
制御部１８は、メイン表示領域Ｒ１の左サイドに設定されるスケール表示領域Ｒ３に、現在のスケール情報（縮尺）を表示する。スケールは、自車位置を０ｍとし、その自車位置からメイン領域Ｒ１の上下方向の中間位置までの距離（図では「５００」）と、上方位置までの距離（図では「１０００」）を表示する。単位は、「ｍ」である。制御部１８は、メイン表示領域Ｒ１が２回連続してタッチされたことを検知すると、メイン表示領域Ｒ１内の所定位置（スケール表示領域Ｒ３に添う位置）に地図スケール変更ボタンを表示し（図示省略）、その地図スケール変更ボタンに対するタッチに応じて地図スケールを変更する。つまり、制御部１８は、変更した地図スケールの縮尺に合わせてメイン表示領域Ｒ１に表示する地図の縮尺を変更すると共に、スケール表示領域Ｒ３に表示するスケール情報も変更する。
【００４５】
所定の待ち受け画面表示機能実行中に、表示部５への１回のタッチを検知した制御部１８は、所定のメニュー画面を表示する。そのメニュー画面中に用意された画面切り替えボタンがタッチされたことを検知した制御部１８は、所定のＭＡＰ表示機能に切り替える。同様にＭＡＰ表示機能実行中に表示部５への１回のタッチを検知した制御部１８は、所定のメニュー画面を表示する。そのメニュー画面中に用意された画面切り替えボタンがタッチされたことを検知した制御部１８は、待ち受け画面表示機能に切り替える処理を行う。
【００４６】
制御部１８は、待ち受け画面表示機能、ＭＡＰ表示機能（以下これらの機能を総称して待受機能と称する）の実行中に、発生したイベントに応じて、ＧＰＳ警報機能、レーダー波警報機能、無線警報機能等の各機能を実現する処理を実行し、当該機能の処理終了時には元の待受機能の処理に戻る。各機能の優先度は、高いほうから、レーダー波警報機能、無線警報機能、ＧＰＳ警報機能の順に設定している。
【００４７】
ＧＰＳ警報機能は、制御部１８に有するタイマーからのイベントにより所定時間間隔（１秒間隔）で実行される処理であり、データベース１９に記憶された警報対象の緯度経度とＧＰＳ受信器１３によって検出した現在位置の緯度経度から両者の距離を求め、求めた距離が所定の接近距離になった場合に、表示部５にＧＰＳ警報表示（たとえば警報対象の模式図・残り距離等）をし、スピーカ１６からその旨を示す接近警告の音声を出力する処理である。
【００４８】
こうした警報対象としては、居眠り運転事故地点、レーダー、制限速度切替りポイント、取締エリア、検問エリア、駐禁監視エリア、Ｎシステム、交通監視システム、交差点監視ポイント、信号無視抑止システム、警察署、事故多発エリア、車上狙い多発エリア、急／連続カーブ（高速道）、分岐／合流ポイント（高速道）、ＥＴＣレーン事前案内（高速道）、サービスエリア（高速道）、パーキングエリア（高速道）、ハイウェイオアシス（高速道）、スマートインターチェンジ（高速道）、ＰＡ／ＳＡ内 ガソリンスタンド（高速道）、トンネル（高速道）、ハイウェイラジオ受信エリア（高速道）、県境告知、道の駅、ビューポイントパーキング等があり、これらの目標物の種別情報とその位置を示す緯度経度情報と表示部５に表示する模式図または写真のデータと音声データとを対応付けてデータベース１９に記憶している。
【００４９】
レーダー波警報機能は、マイクロ波受信器１４によって速度測定装置（移動式レーダー等（以下、単に「レーダー」と称する））から発せられる周波数帯のマイクロ波に対応する信号が検出された場合に、表示部５に対して警報画面１３１を表示するとともに、スピーカ２０から警報音を出力する警報機能である。たとえば、レーダーの発するマイクロ波の周波数帯のマイクロ波がマイクロ波受信器４によって検出された場合に、データベース１９に記憶されたレーダーの模式図または写真を表示部５に警報画面として表示するとともに、データベース１９に記憶された音声データを読み出して「レーダーです。スピード注意」という音声をスピーカ１６から出力する。
【００５０】
無線警報機能は、無線受信器１５によって、緊急車両等の発する無線電波を受信した場合に、その走行等の妨げとならないよう、警報を発する機能である。無線警報機能においては、取締無線、カーロケ無線、デジタル無線、特小無線、署活系無線、警察電話、警察活動無線、レッカー無線、ヘリテレ無線、消防ヘリテレ無線、消防無線、救急無線、高速道路無線、警備無線等の周波数をスキャンし、スキャンした周波数で、無線を受信した場合には、データベース１９に無線種別ごとに記憶されたその周波数に対応する無線を受信した旨の模式図を警報画面として表示部５に表示するとともに、データベース１９に無線種別ごとに記憶された音声データを読み出して、スピーカ１６からその無線の種別を示す警報音声を出力する。たとえば、取締無線を受信した場合には「取締無線です。スピード注意」のように音声を出力する。
【００５１】
［待受機能］（待ち受け画面表示機能）
図３は、本発明の要部となる待ち受け画面表示機能の表示画面の一例を示している。本実施形形態では、制御部１８は、ＧＰＳ受信器１３から出力される現在位置情報に基づいて取得した現在位置の高度をグラフ表示する。
【００５２】
表示部５の表示画面３０に出力する表示レイアウトは、上下二段にグラフ表示部を配置する。すなわち、表示画面３０の上方に第一グラフ表示部３１を配置し、表示画面３０の下方に第二グラフ表示部３２を配置する。第一グラフ表示部３１は、短い期間で動きのある第一情報をグラフで表示する表示領域である。第二グラフ表示部３２は、第一情報のグラフよりも長い期間で第一情報と関係がある第二情報をグラフで表示する表示領域である。第一情報と第二情報は、ともに車両の走行に応じて変わりうる情報の一つとして高さ特定する情報である高度情報である。さらに、期間は、ともに移動距離で特定している。
【００５３】
また、各グラフ表示部３１，３２に表示するグラフは、第一の軸である横軸は期間を特定する項目である距離とし、第二の軸である縦軸は高度である。第一グラフ表示部３１の横軸は、現在の時点から過去の一定の期間（たとえば３ｋｍ）とした。また、第二グラフ表示部３２の横軸は、イベント発生から現在までの距離とした。イベント発生は、本実施形態では、車両の始動時（たとえば、イグニッションキーＯＮ、電気自動車の始動スイッチＯＮ等）としている。これにより、制御部１８は、第一グラフ表示部３１に直近の高度の変化の状態を表示し、第二グラフ表示部３２に車両の始動時から現在までの高度変化の累積を表示する。
【００５４】
制御部１８は、上述したように各グラフ表示部３１，３２に対して所定のグラフを表示するが、係るグラフを表示する処理を行うための機能は、たとえば、以下のようにする。制御部１８は、車両の始動時にＧＰＳ受信器１３から出力される現在位置情報に基づいて取得した現在位置の高度を、移動距離（ここでは、距離０ｍ）と関連づけて高度履歴情報記憶部に格納する。この高度履歴情報記憶部は、たとえば制御部１８のＲＡＭやＮＡＮＤＦｌａｓｈメモリなどの所定の記憶手段や、制御部１８以外の車載用電子機器が持つ所定の記憶手段内の記憶エリアに設定したり、ソフトウェアプログラム上のメモリとして持たせたりする。
【００５５】
次いで、制御部１８は、ＯＢＤ情報として車両の移動距離に関する情報を取得する。そして、制御部１８は、車両が所定距離（たとえば１０ｍ）を移動するごとに、ＧＰＳ受信器１３から出力される現在位置情報に基づいて取得した現在位置の高度を、移動距離と関連づけて高度履歴情報記憶部に格納する。これにより、高度履歴情報記憶部には、車両の始動時から移動距離が１０ｍごとの高度の推移についての履歴情報が記憶保持される。
【００５６】
制御部１８は、高度履歴情報記憶部にアクセスし、高度履歴情報記憶部に記憶保持されている所定の履歴情報を取得し、各グラフ表示部３１，３２にそれぞれのグラフを表示する。具体的には、第一グラフ表示部３１に対しては、直近から過去３ｋｍ分の高度の情報を取得し、グラフ上のそれぞれの高度に対応する位置にプロットする。すなわち、本実施形態では、１０ｍごとに高度の情報を取得し、記録しているため、直近の３００個分の高度のデータを抽出する。
【００５７】
そして制御部１８は、抽出した直近の３００個分の高度のデータのなかの最大値から縦軸の最大値を決定し、直近の３００個分の高度のデータのなかの最小値から縦軸の最小値を決定する。そして、制御部１８は、決定した縦軸の最大値と最小値をそれぞれ縦軸の適宜の位置に表示するとともに、縦軸上の各位置に対応する高度を設定する。さらに制御部１８は、最新の高度に関連づけられた移動距離を読み出し、その移動距離を単位がキロメータとなる値にして横軸の右端に表示する。また制御部１８は、最新から過去の３００番目の高度に関連づけられた移動距離を読み出し、その移動距離を単位がキロメータとなる値にして横軸の左端に表示する。
【００５８】
第一グラフ表示部３１の表示領域は、たとえば横軸を液晶の表示画素で３００ドット分に設定する。すると、制御部１８は、取得した直近の３００個分の高度のデータを時系列で並べて縦軸の高度に対応する位置にプロットすることで、第一情報についてのグラフを作成する。
【００５９】
また、第二グラフ表示部３２に対しては、制御部１８は、高度履歴情報記憶部に記憶保持されているデータ数に基づき、適宜間引いて車両の始動時から現在までのすべてのデータから均等に３００個分のデータを抽出する。そして制御部１８は、抽出した間引き後の３００個分の高度のデータのなかの最大値から縦軸の最大値を決定し、その３００個分の高度のデータのなかの最小値から縦軸の最小値を決定する。そして、制御部１８は、決定した縦軸の最大値と最小値をそれぞれ縦軸の適宜の位置に表示するとともに、縦軸上の各位置に対応する高度を設定する。さらに制御部１８は、最新の高度に関連づけられた移動距離を読み出し、その移動距離を単位がキロメータとなる値にして横軸の右端に表示する。また制御部１８は、横軸の左端にイベント発生時の移動距離、すなわち、車両の指示宇治の０．０ｋｍを表示する。そして、制御部１８は、抽出した３００個分の高度のデータを時系列に並べて各データを縦軸の高度に対応する位置にプロットすることで第二情報についてのグラフを作成する。
【００６０】
縦軸のレンジの最大値と最小値の決定は、すべてのデータがグラフに表示されるようにしている。よって、縦軸の最大値は高度のデータのなかの最大値よりも大きい値に決定し、縦軸の最小値は高度のデータのなかの最小値よりも小さい値に決定する。さらに、表示するグラフをユーザが見やすくなるように、グラフをグラフ表示部の表示領域内でできるだけ大きく表示するように縦軸の最大値と最小値を決定する。よって、たとえば制御部１８は、高度のデータの中の最大値と最小値に対してそれぞれ所定のマージンをとったり、たとえば所定の位（たとえば１の位）で切り上げや切り捨てをしたりすることで、縦軸の最大値と最小値を決定する。
【００６１】
制御部１８は、第一グラフ表示部３１に直近の比較的短い期間（本実施形態では車両の移動距離）における車両の存在位置の高度の推移を表示する。よって、グラフの形状は時々刻々と変化し、動きがあり、待受画面として表示するのに適切となる。しかも、直近の高度の推移であるため、ユーザにとっても記憶に新しく、走行してきた地形とマッチしおもしろみが増すのでよい。
【００６２】
また、制御部１８は、第二グラフ表示部３２に車両の始動から現在までの高度の推移の履歴を表示するので、ユーザは、今回の走行してきた道路の起伏の状態などを一目で理解することができる。たとえば、今回の走行が山道などの起伏のある道路をドライブして山越えしたような場合、その山越えした当該山の起伏の状態を一目で理解することができるので好ましい。また、そのように山越えなどに限ることはなく、たとえば街中や、高速道路など、ユーザは高低差があまりないような道路と思って走行していたような場合でも、走行開始からの履歴を見ることで、たとえば思っていたよりも高低差があるなど、新しい発見をすることができるなどの楽しみもあるのでよい。
【００６３】
さらに、本実施形態では、横軸は移動距離としたため、たとえば、渋滞その他で車両が一時停止しているような場合、移動距離が変わらないため新たな位置検出並びにそれに基づく高度の取得を行わない。よって、第一グラフ表示部３１並びに第二グラフ表示部３２のグラフ表示は更新されないため、たとえば、停車時に高度等のグラフの表示が変動することがない。特に本実施形態では、移動距離をＯＢＤ情報から取得しているため、移動の有無並びに距離を精度良く求めることができる。
【００６４】
さらに本実施形態では、表示画面３０の右側に、ステータス情報を表示するステータス領域３３を配置し、さらに右上に時間表示領域３４を配置するレイアウトとした。ステータス情報は、本実施形態では、グラフ表示する各項目の値とした。ここでは、第一グラフ表示部３１の項目と、第二グラフ表示部３２の項目が同じであるため、ステータス領域３３の上側には現在の高度を表示し、ステータス領域の下側には現在の距離を表示する。この現在の距離は、イベント発生時である車両の始動時からの移動距離である。このように現在の値を数値で表示することで、ユーザは、現在の情報を絶対値として認識することができる。さらに、制御部１８は、表示画面の右上に現在の時刻を表示する。
【００６５】
さらに本実施形態では、第一グラフ表示部３１の項目と、第二グラフ表示部３２の項目を同じにしたため、たとえば第一グラフ表示部３１は、直近の距離−高度に関するデータを表示するズームウインドウとなり、第二グラフ表示部３２は走行全体の距離−高度に関するデータを表示する累積ウインドウとなる。よって、ユーザは、第一グラフ表示部３１を見ながら直近の走行した道路の高度の推移，高低差の変化を拡大して確認しつつ、第二グラフ表示部３２を見て今回の走行の全体の高度の推移を確認できる。
【００６６】
また、図３に示す例では、走行開始してから１８．５ｋｍであり、全行程の高低差も５０ｍに満たないため、第一グラフ表示部３１の縦軸のレンジと、第二グラフ表示部３２の縦軸のレンジの差があまりなく、どちらのグラフも表示領域の全体にわたってグラフが表示され、しかも、縦軸の縮尺もほぼ同じになっている。たとえば走行距離がもっとのびて、高度の最大値と最小値の差が大きくなった場合には、第二グラフ表示部３２の縦軸のレンジが大きくなって、第二グラフ表示部３２に表示するグラフは、高度についての縮尺がより大きくなるのに対し、第一グラフ表示部３１に表示されるグラフは直近の３ｋｍについての高低差であるので、第二グラフ表示部３２に比べると高度についてもより拡大して表示することができる。
【００６７】
［変形例］
図４は、上述した第一グラフ表示部３１の項目と、第二グラフ表示部３２の項目を同じとした実施形態を前提とする変形例を示している。第一グラフ表示部３１の項目と、第二グラフ表示部３２の項目を同じとした場合、第一グラフ表示部３１に表示されたグラフは、第二グラフ表示部３２に表示されたグラフの一部分に対応したものとなる。
【００６８】
そこでこの変形例では、制御部１８は、第二グラフ表示部３２にグラフを表示する際に、第一グラフ表示部３１に表示するグラフに対応する部分が分かるように表示する。図４では、便宜上、第二グラフ表示部３２に表示するグラフのうち対応する部分については実線で示し、それ以外の部分は破線で示している。そして、実際には、制御部１８は、たとえば、第二グラフ表示部３２のグラフの実線で示す部分と、破線で示す部分の表示色を変えたり、明度を変えたりする制御を行う。また、図示のように線種を変えるようにしても良い。この場合、破線になるように高度に対応する位置にプロットするデータとプロットしない非表示のデータを適宜の順で繰り返すことで実現する。また、グラフを構成する線の部分の表示形態を変えるのではなく、グラフの背景部分の色や、パターン、図柄等を変えたり、境界部分に線を表示したり、境界部分を矢印で示したりするなどの他、各種の対応をとってもよい。
【００６９】
この変形例では、第一グラフ表示部に表示されたグラフが第二グラフ表示部に表示されたグラフのどの部分に対応しているかが一目でわかり、対応関係が容易に理解できるので好ましい。そして、走行距離が長くなるに従って、第二グラフ表示部３２に表示されるグラフにおける第一グラフ表示部３１に表示されるグラフの占める割合が少なくなる。よって、たとえば、走行距離が長くなるにつれて、第二グラフ表示部３２に表示されるグラフの形状自体はあまり変化がしなくなっても、色、明度等の表示態様が変わっていく。たとえば、色を変える場合、第一グラフ表示部３１に表示されるグラフに対応する色で表示される部分が、徐々に短く，狭くなっていくので、第二グラフ表示部３２でグラフの形状の変化が少なくても、グラフの色の変化が現れ、待ち受け機能も発揮する。
【００７０】
［開始直後の変形例］
上述した実施形態並びに変形例では、第一グラフ表示部３１と第二グラフ表示部３２を上下に配置したレイアウトを採っている。そして、第一グラフ表示部３１の項目と、第二グラフ表示部３２の項目を同じとしたため、車両の始動時から３ｋｍ移動するまでは、第一グラフ表示部３１と第二グラフ表示部３２の表示内容は同じとなる。
【００７１】
そこで、制御部１８は、第一グラフ表示部３１に表示する表示内容と、第二グラフ表示部に表示する表示内容が同じになる車両の始動時から３ｋｍ移動するまでの間は、第一グラフ表示部３１と第二グラフ表示部３２の一方のみを表示し、表示内容が異なる３ｋｍを経過たとえばした時点で場合に前記第一グラフ表示部と前記第二グラフ表示部を同時に表示する。図示の例では、図５（ａ）に示すように、制御部１８は、当初は第二グラフ表示部３２のみを表示する。このとき、制御部１８は、表示画面の上下方向の全体を使って第二グラフ表示部３２を表示する。このようにすることで、３ｋｍ以降の２つのグラフ表示部を表示するものに比べて、上下方向は２倍近く広い領域でグラフを表示することができ、グラフを大きく表示できる。
【００７２】
また、図５（ｃ）に示すように３ｋｍを経過後は第一グラフ表示部３１と第二グラフ表示部３２の両方を表示する。さらにこの変形例では、３ｋｍ経過時点での第二グラフ表示部３２のみの表示から、両グラフ表示部３１，３２の表示に切り替える際に、図５（ｂ）に示すように、制御部１８は、第一グラフ表示部３１については瞬時に通常の表示態様で表示し、上下方向に一杯に表示していた第二グラフ表示部３２をその縦軸を徐々に短く縮小していく。これにより、第二グラフ表示部３２の上方部分と、第一グラフ表示部３１の下方部分が重なった状態で表示する。そして、最終的に図５（ｃ）に示すように、第一グラフ表示部３１と第二グラフ表示部３２が上下に並列して配置するレイアウトで表示する。このように、第二グラフ表示部３２の上端を徐々に下降移動し、上下方向の表示領域を徐々に縮小するように動きを見せることで、面白みを増すとともに、１つのグラフ表示から２つのブラフ表示に切り替わったことをアピールすることができる。
【００７３】
このようにすることで、この変形例では、運転開始直後は、グラフ表示は一方のみとなるので、グラフの表示領域・面積を大きく採ることができるため、見やすくなり好ましい。
【００７４】
このように第二グラフ表示部３２を徐々に縮小する動きを設けることなく、図５（ａ）の状態からいきなり図５（ｃ）に示す状態に遷移、切り替えても良い。また、図５（ａ）に示す初期状態で、第一グラフ表示部３１を表示するようにしてもよい。
【００７５】
また、図５（ａ）から図５（ｃ）に示す状態に切り替える際に、後から表示するグラフ表示部（ここでは、第一グラフ表示部３１）を適宜ズームインするように表示するなどの方かも、切り替え時の表示を動きのあるようにすると良い。
【００７６】
また、図５に示す実際の表示画面では、制御部１８は、左上に駐車禁止の標識に模した駐車禁止エリア報知マークＭ１を表示している。これは、現在位置とデータベース１９に記憶した警報対象情報から、現在位置が駐車禁止監視エリア内の時で所定の条件で表示する。すなわち、たとえば、現在位置が、違法駐車取締りガイドラインの最重点地域・重点地域内にあると、表示してその旨を報知したり、係る地域内であって速度が一定速度以下のときに表示したりする。
【００７７】
また、図５（ａ），（ｃ）では、現在位置の周囲（たとえば５００ｍ以内）に警察署が存在する場合に、警察署報知マークＭ２を表示し、図５（ｂ）では、現在位置の周囲（たとえば５００ｍ以内）に交番が存在する場合に、交番報知マークＭ３を表示するとともに、それらの警察署や交番等の警報対象の存在する方向を矢印で示すと共に、当該警報対象までの距離を数値で示している。
【００７８】
［期間の変形例］
上述した実施形態並びに変形例では、第一グラフ表示部３１に表示するグラフと第二グラフ表示部３２に表示するグラフの横軸は、期間を特定する項目としで距離としたが、経過時間としてもよい。さらに第一グラフ表示部３１の横軸である期間を特定する項目と第二グラフ表示部３２の横軸である期間を特定する項目は異ならせても良い。
【００７９】
上述した実施形態並びに変形例では、第一グラフ表示部３１の期間は、現在の時点から一定の期間にしたが、本発明はこれに限ることはなく、過去のある一定の期間としてもよい。
【００８０】
上述した実施形態並びに変形例では、第二グラフ表示部３１の期間の始点は、イベント発生時として車両の始動時としたが、本発明はこれに限ることはなく、たとえば所定のリセット指示を受け付けた場合とするとよい。ユーザからのリセット指示の受付としては、たとえば、表示部５の表示画面をタッチしたことをタッチパネル６からの信号に基づき制御部１８が認識すると、メニュー画面を表示し、メニュー画面の所定の階層に設けたリセット指示受付のボタン領域の押下を契機としてリセット指示受付としたり、図３等に示す待受画面の所定領域、たとえば、第二グラフ表示部３２内のタッチを検出すると、リセット指示受付としたりすると良い。また、リモコンスイッチに割り当てたリセット指示受付ボタンの押下を制御部１８が検知したことを契機としても良い。
【００８１】
制御部１８は、リセット指示を受け付けたならば、たとえば、受付したときの高度履歴情報記憶部の最新の高度とそれに関連付けた移動距離にフラグを立てるなどマークをし、当該移動距離を第二グラフ表示部３２の横軸の始点とし、以降、所定距離（たとえば１０ｍ）移動して新たな高度の情報を記録するごとに各グラフ表示部の表示を更新する。このとき、第一グラフ表示部３１については、リセット指示の受付によりクリアせず、直近の所定距離（たとえば３ｋｍ）分の高度のデータをグラフ表示するとよい。
【００８２】
また、第一グラフ表示部３１に表示するグラフも、リセット指示の受付に併せてリセットするようにしても良い。係る場合、リセット指示の受付をした制御部１８は、たとえば、高度履歴情報記憶部に記録した過去の高度の情報を消去し、リセット指示の受付をした時点を車両の始動時と同様に高度履歴情報記憶部への高度の情報の記録並びに各グラフ表示部へのグラフ表示を行う。
【００８３】
このようにすると、ユーザは、走行途中の任意の地点からの履歴を見ることができる。また、車両が駐停車してもリセット指示をしないことで、複数の走行にまたがる全体の第二情報の履歴を見ることができる。よって、たとえばユーザが山道などの起伏のある道路をドライブして山越えするような場合に、その山越えした当該山の起伏の状態を見たいような場合、ユーザは、山道に入る手前でリセット指示をすることで、そのより前の街中、郊外の部分の履歴の表示をカットし、山の部分の高度の変化・推移を見ることができる。また、たとえば山道の途中で休憩等で車両を駐停車し、その後に車両を再始動した場合でも、車両の駐停車時にリセット指示をしなければ、山の部分の全体の起伏に応じた高度の履歴を見ることができる。但し、その場合には高度履歴情報記憶部は、不揮発性のメモリを用いるか、イグニッションスイッチのオフや電気自動車のスタートボタンのオフなどによる駐停車の際に、高度履歴情報記憶部に格納した高度に関するデータをバックアップし、始動時にバックアップしたデータを所定の記憶部にセットする処理を行う。
さらにまた、ユーザからのリセット指示の受付に限ることはなく、車両の状態などがあらかじめ設定した条件を満たした場合にリセット指示受付としても良い。
【００８４】
また、第二グラフ表示部３２内の期間を特定する横軸の始点は、車両の始動時や、リセット指示の受付時などのイベント発生時としたが、たとえば、係るイベント発生時からの期間（たとえば移動距離や経過時間）の経過が閾値を超えた場合に、横軸の始点を徐々に遅らせるようにずらしても良い。たとえば、実施形態のように所定距離（たとえば１０ｍ）ごとに情報を取得し、グラフを更新する場合、閾値（たとえば５００ｋｍや、１００ｋｍ等）を超えた場合には始点を所定距離ずつずらすようにする。つまり、実施形態のように期間を特定する項目を距離とした場合、閾値を超えた場合には、横軸のレンジは、閾値の距離を維持する。
【００８５】
［項目の変形例］
上述した実施形態並びに変形例では、各グラフ表示部へ表示するグラフの項目として、高度としたが、本発明はこれに限ることはなく、たとえば、車両の走行に応じて変わり得る情報とするとよい。係る車両の走行に応じて変わり得る情報としては、たとえば気圧、ラジエータ内等の水温、燃費、残燃料、速度、加速度等、各種のものがある。気圧は、走行に伴い車両が存在する高さ位置が変位することに応じて変化する情報であり、車両の高さの変位を特定する情報となる。また、燃費、速度、加速度等は、直近の状況等の短い期間の変化を第一グラフ表示部３１にグラフ表示することで、表示されるグラフの変化が大きい待受機能として適した表示をしつつ、たとえば車両の始動時から現在までの推移を第二グラフ表示部３２に表示することで、走行に伴う全体の変化の傾向を報知できる。
【００８６】
また、前記第一グラフ表示部に表示するグラフと前記第二グラフ表示部に表示するグラフの第二の軸は、運転者の操作に応じて変化する項目とするとよい。運転者の操作に応じて変化する項目としては、たとえば、燃費、エコ情報、安全運転の程度などがある。安全運転の程度は、たとえば、加速度が設定したしきい値を超えた回数が多いほど安全運転の程度が低くなり、大きい加速度が検出されるほど安全運転の程度が低くなるようにする。燃費は、走行距離と消費燃料から求める。消費燃料は、たとえばＯＢＤ情報として取得する残燃料の変化から求める。エコ情報は、たとえば燃費が良いほどエコ運転と判定し、速度の変化が少ないほどエコ運転と判定し、その判定結果を数値化してグラフに表示する。
【００８７】
運転者の操作に応じて変化する項目とすることで、たとえば第一グラフ表示部３１に直近のグラフを表示することで、ユーザは、自己の運転の操作がどうだったかを客観的に判断し、操作が適切であったか否かを反省することができる。
【００８８】
また、  上述した実施形態並びに変形例では、第一グラフ表示部３１と第二グラフ表示部３２は、上下に並べた配置レイアウトをとったが、左右に並べるなどの他、各種のレイアウトとってもよい。また、上述した実施形態並びに変形例では、期間を特定する項目を横軸としたが、期間を特定する項目を縦軸に設定しても良い。
さらに、上述した実施形態並びに各変形例は、適宜組み合わせて実施すると良い。
【００８９】
上述した実施形態並びに変形例では、本発明の車載用電子機器としてダッシュボードその他の車内の所定位置にブラケット３を用いて貼り付け等により固定設置するタイプのレーダー探知機を例に挙げて説明したが、ルームミラーに取り付けるミラータイプのレーダー探知機にも適用できる。更に、本発明はレーダー探知機に限ることはなく車載用の各種の電子機器の機能として実施することができる。たとえば、ナビゲーション装置等の機能として組み込んでもよい。
【００９０】
さらに上述した例では、装置内に各種の情報を記憶したデータベース１９を備え、制御部１８は係るデータベース１９にアクセスして必要な情報を読み出し、各種の処理をしたが、本発明はこれに限ることはない。すなわち、データベース１９に登録する情報の一部または全部を外部のサーバに登録しておく。そして、レーダー探知機その他の車載用電子機器は、係るサーバと通信する機能を備え、制御部１８は、適宜サーバにアクセスし、必要な情報を取得して処理を実行するものとしてもよい。係るサーバに制御部の一部または全部を実装し、サーバ側で処理の一部を実行させ車載機側ではその結果を取得し、所定の表示をするものでもよい。さらに、表示装置は、別の車載機器や車両に実装された装置のものを利用するものでもよい。
【符号の説明】
【００９１】
１  レーダー探知機
２  ケース
５  表示部
６  タッチパネル
７  音量調整ボタン
８  作業ボタン
１０  メモリカードリーダ
１１  メモリカード
１３  ＧＰＳ受信器
１４  マイクロ波受信器
１５  無線受信器
１６  スピーカ
１８  制御部
１９  データベース
【図１】
2014132253.tif 000003
【図２】
2014132253.tif 000004
【図３】
2014132253.tif 000005
【図４】
2014132253.tif 000006
【図５】
2014132253.tif 000007